(57)【要約】【課題】標準の心拍数に対する、計測された心拍数の高低の程度を入浴者等が容易に把握することのできる浴室システムを提供する。【解決手段】浴槽内に給湯を行うための給湯装置本体１と、この給湯装置本体１を遠隔操作するための浴室リモコン３と、入浴者の心拍信号を検出するための心拍電極６と、心拍電極６によって検出された心拍信号に基づいて入浴者の心拍数を計測する計測装置４とを備え、心拍数に応じた複数種類の色データを記憶するＲＯＭ３６と、ＲＯＭ３６によって記憶された複数種類の色データの中から計測装置４によって計測された心拍数に応じた色データを選択し、浴室リモコン３において当該選択された色データを用いて心拍数を表示させる浴室側マイコン３５を備える。【選択図】  図３
2004267305.tif 000002
【特許請求の範囲】
【請求項１】
浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、
心拍数に応じた複数種類の色データを記憶する色データ記憶手段と、
前記色データ記憶手段によって記憶された複数種類の色データの中から前記計測手段によって計測された心拍数に応じた色データを選択し、前記遠隔操作装置において当該選択された色データを用いて心拍数を表示させる色表示制御手段と、
を備えることを特徴とする浴室システム。
【請求項２】
浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、
心拍数に応じた複数種類の描画データを記憶する描画データ記憶手段と、
前記描画データ記憶手段によって記憶された複数種類の描画データの中から前記計測手段によって計測された心拍数に応じた描画データを選択し、前記遠隔操作装置において当該選択された描画データを表示させる描画表示制御手段と、
を備えることを特徴とする浴室システム。
【請求項３】
前記描画データは、特定表示対象物が心拍数に応じた移動速度で移動するように描画されるデータである、請求項２に記載の浴室システム。
【請求項４】
浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、
心拍数に応じた複数種類の音声データを記憶する音声データ記憶手段と、
前記音声データ記憶手段によって記憶された複数種類の音声データの中から前記計測手段によって計測された心拍数に応じた音声データを選択し、前記遠隔操作装置において当該選択された音声データを出力させる音声出力制御手段と、
を備えることを特徴とする浴室システム。
【発明の詳細な説明】
【０００１】
【発明の属する技術分野】
本願発明は、浴槽内に給湯を行うとともに、入浴者の心拍数を計測することのできる浴室システムに関する。
【０００２】
【従来の技術】
従来より、浴槽などに給湯を行う給湯装置は、給湯装置本体と、それに２芯ケーブル等によって接続された浴室リモコンや台所リモコンとを備えて構成されている。
【０００３】
給湯装置本体は、給湯用、風呂追い焚き用および温水暖房用等の熱交換器を備える燃焼ユニットと、この燃焼ユニットを制御するマイクロコンピュータ（以下、単に「マイコン」という。）を備える制御部とが設けられている。一方、浴室リモコンや台所リモコンは、給湯装置本体の給湯運転を遠隔操作するためのものであり、操作スイッチや液晶表示器等を有する操作表示部が備えられている。浴室リモコンや台所リモコンには、給湯装置本体から２芯ケーブル等の接続線を介して電源が供給される。
【０００４】
一方、浴槽内に溜められた湯水に浸っている入浴者の心拍数を計測する計測装置が提案されている（たとえば、特許文献１参照。）。この計測装置によれば、浴槽の内側側壁に複数の心拍検出用の電極が設けられ、この心拍検出用の電極によって検出された心拍信号に基づいて入浴者の心拍数が求められ、計測装置に設けられた表示部にその心拍数が表示されるようになっている。
【０００５】
【特許文献１】
特開平５−１１１４７０号公報
【０００６】
また、計測装置に対して上記した給湯装置本体から電源を供給し、計測装置で計測した心拍数を上記浴室リモコン等の操作表示部に表示する浴室システムも提案されている。この浴室システムによれば、入浴者の入浴中に心拍数が計測されると、たとえば浴室リモコンの操作表示部にその心拍数が表示され、これにより、入浴者は、自己の心拍数を確認することができ、健康を管理するための情報として活用することができる。
【０００７】
【発明が解決しようとする課題】
しかしながら、従来では、浴室リモコンの操作表示部に入浴者の心拍数を表示するものの、この表示は、単なる数値を表示するものであるため、その値が標準の心拍数に対して高すぎるのかまたは低すぎるのかといった評価は入浴者には判断しづらいものであった。また、台所においてたとえば台所リモコンの操作表示部を通じて入浴者の心拍数を監視している者にも、同様に、判断しづらいものであった。
【０００８】
【発明の開示】
本願発明は、上記した事情のもとで考え出されたものであって、標準の心拍数に対する、計測された心拍数の高低の程度を入浴者等が容易に把握することのできる浴室システムを提供することを、その課題とする。
【０００９】
上記の課題を解決するため、本願発明では、次の技術的手段を講じている。
【００１０】
本願発明の第１の側面にかかる浴室システムは、浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、心拍数に応じた複数種類の色データを記憶する色データ記憶手段と、前記色データ記憶手段によって記憶された複数種類の色データの中から前記計測手段によって計測された心拍数に応じた色データを選択し、前記遠隔操作装置において当該選択された色データを用いて心拍数を表示させる色表示制御手段と、を備えることを特徴としている。
【００１１】
この発明によれば、色データ記憶手段によって記憶された複数種類の色データの中から計測手段によって計測された心拍数に応じた色データを選択し、遠隔操作装置において選択された色データを用いて心拍数を表示させるので、入浴者は、色データが付された心拍数の表示によって、自己の心拍数の高低の程度（心拍数が標準の値に対して高すぎるのかまたは低すぎるのかなど）を一目で感覚的に把握することができる。したがって、より利便性の高い浴室システムを提供することができる。
【００１２】
本願発明の第２の側面にかかる浴室システムは、浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、心拍数に応じた複数種類の描画データを記憶する描画データ記憶手段と、前記描画データ記憶手段によって記憶された複数種類の描画データの中から前記計測手段によって計測された心拍数に応じた描画データを選択し、前記遠隔操作装置において当該選択された描画データを表示させる描画表示制御手段と、を備えることを特徴としている。
【００１３】
この発明によれば、描画データ記憶手段によって記憶された複数種類の描画データの中から計測手段によって計測された心拍数に応じた描画データを選択し、遠隔操作装置において選択された描画データを表示させるので、入浴者は、心拍数に応じた描画データ（たとえば心拍数に応じて変化するキャラクタの動画表示データ）が表示されることによって、自己の心拍数の高低の程度（心拍数が標準の値に対して高すぎるのかまたは低すぎるのかなど）を感覚的に把握することができる。また、心拍数の値が直接的に表示されないので、入浴者はリラックスした気持ちで心拍数を確認することができる。
【００１４】
好ましい実施の形態によれば、前記描画データは、特定表示対象物が心拍数に応じた移動速度で移動するように描画されるデータである。
【００１５】
この発明によれば、特定表示対象物（たとえばキャラクタ）が心拍数に応じた移動速度で移動するように描画されるので、入浴者は、特定表示対象物の移動速度によって自己の心拍数を視覚的に把握することができる。
【００１６】
本願発明の第３の側面にかかる浴室システムは、浴槽内に給湯を行うための給湯装置本体と、この給湯装置本体を遠隔操作するための遠隔操作装置と、入浴者の心拍信号を検出するための心拍信号検出手段と、前記心拍信号検出手段によって検出された心拍信号に基づいて入浴者の心拍数を計測する計測手段と、を備える浴室システムであって、心拍数に応じた複数種類の音声データを記憶する音声データ記憶手段と、前記音声データ記憶手段によって記憶された複数種類の音声データの中から前記計測手段によって計測された心拍数に応じた音声データを選択し、前記遠隔操作装置において当該選択された音声データを出力させる音声出力制御手段と、を備えることを特徴としている。
【００１７】
この発明によれば、音声データ記憶手段によって記憶された複数種類の音声データの中から計測手段によって計測された心拍数に応じた音声データを選択し、遠隔操作装置において当該選択された音声データを出力させるので、入浴者は、心拍数に応じた音声（たとえば心拍数に応じて周波数や発音周期が変化する音声）が出力されることによって、自己のおよその心拍数（心拍数が標準の値に対して高すぎるのかまたは低すぎるのかなど）を、たとえば遠隔操作装置の表示部を見なくても即座に把握することができる。
【００１８】
本願発明のその他の特徴および利点は、添付図面を参照して以下に行う詳細な説明によって、より明らかとなろう。
【００１９】
【発明の実施の形態】
以下、本願発明の好ましい実施の形態を、添付図面を参照して具体的に説明する。
【００２０】
＜第１実施形態＞
図１は、本願発明の第１実施形態にかかる浴室システムを示す概略構成図である。図２は、この浴室システムの電気的構成を示す図である。この浴室システムは、給湯装置本体１と、これを遠隔操作するための台所リモコン２および浴室リモコン３と、入浴者の心拍数を計測するための計測装置４と、浴槽Ｂ内の湯水の水位を検出するための水位センサ５と、入浴者の心拍信号を検出するための複数の心拍電極６ａ，６ｂ，６ｃ（以下、総称するときは「心拍電極６」という。）とによって概略構成されている。給湯装置本体１は、２芯ケーブル７を介して台所リモコン２、浴室リモコン３、および計測装置４を接続している。
【００２１】
給湯装置本体１は、たとえば住宅の屋外に設置され、図２に示すように、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１と、通信部１４とを備えている。
【００２２】
制御部１１は、たとえば電子部品が搭載された１枚のプリント基板によって構成され、マイクロコンピュータ１２（以下、「本体側マイコン１２」という）、およびＲＯＭ１３などを有している。本体側マイコン１２は、給湯装置本体１の制御中枢となるものであり、ＲＯＭ１３に記憶されている運転実行プログラム、あるいは台所リモコン２または浴室リモコン３や図示しない暖房用機器などから送られる操作信号などに基づいて、各種燃焼器の燃焼状態や各種バルブの開閉状態を制御する。
【００２３】
また、本体側マイコン１２は、計測装置４から入浴者の心拍数の情報を受け取ると、それを通信部１４および２芯ケーブル７を介して台所リモコン２や浴室リモコン３に対して送信する機能を有する。
【００２４】
ＲＯＭ１３は、運転実行プログラムや各種のデータを記憶するものである。ＲＯＭ１３には、図３に示すように、計測された心拍数を表示する際にその表示される心拍数に付する色データが、色選択テーブルの形で記憶されている。本体側マイコン１２は、計測装置４によって計測された心拍数の情報に基づいて、色選択テーブルを参照して、計測された心拍数がどの色に当て嵌まるかを選択する。たとえば、心拍数が６０〜１２０回のときは青色が選択され、心拍数が１２１〜１６０回のときは黄色が選択され、心拍数が１６１回以上のときは赤色が選択される。そして、心拍数の情報およびそれに応じた色情報を台所リモコン２および浴室リモコン３に送信する。各リモコン２，３では、心拍数の表示を行う際、その色情報に応じて心拍数を色表示する。
【００２５】
図２に戻り、通信部１４は、台所リモコン２および浴室リモコン３との通信を行うためのものであり、所定の変復調方式に基づいた変復調回路によって構成されている。給湯装置本体１から台所リモコン２および浴室リモコン３に対しては、２芯ケーブル７を介して電源供給（たとえばＤＣ１５Ｖ）がされており、上記通信部１４において変調されたデータ信号は、電源電圧に重畳され、この２芯ケーブル７を介して台所リモコン２および浴室リモコン３に伝達される。また、台所リモコン２および浴室リモコン３から上記２芯ケーブル７を介して伝達された操作信号としてのデータ信号は、上記通信部１４において復調され、本体側マイコン１２に送られる。
【００２６】
台所リモコン２は、図４に示すように、たとえばキッチンの流し台近傍に設置された略直方体形状のケースを備えており、ユーザによる操作に基づいて、給湯装置本体１を遠隔操作するものである。台所リモコン２は、図２に示すように、制御部２１、通信部２２、表示部２３、および操作部２４を備えている。制御部２１は、マイクロコンピュータ２５（以下、単に「台所側マイコン２５」という）、およびＲＯＭ２６を備えている。
【００２７】
台所側マイコン２５は、この台所リモコン２の制御を司るものであり、ＲＯＭ２６によって記憶されている運転実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示したり、スピーカ２４ｄ（後述）から給湯運転に関する情報を音声にして出力したりする。
【００２８】
また、台所側マイコン２５は、計測装置４によって計測された入浴者の心拍数の情報を給湯装置本体１から通信部２２を介して受け取ると、表示部２３に表示させる機能を有する。この場合、給湯装置本体１からは心拍数の情報とそれに応じた色情報が送信されるので、表示部２３にその色情報を付した心拍数を表示させる。
【００２９】
ＲＯＭ２６は、運転実行プログラムや各種のデータを記憶するものである。なお、給湯装置本体１のＲＯＭ１３に色選択テーブル（図３参照）が記憶されていることに代えて、このＲＯＭ２６に色選択テーブルが記憶されていてもよい。この場合、給湯装置本体１からは心拍数の情報が送られ、台所リモコン２において送られた心拍数に応じた色が設定される。
【００３０】
通信部２２は、給湯装置本体１や浴室リモコン３との通信を行うためのものであり、所定の変復調方式に基づいた変復調回路によって構成されている。給湯装置本体１あるいは浴室リモコン３から２芯ケーブル７を介して伝達されたデータ信号は、この通信部２２において復調され、台所側マイコン２５に送られる。また、通信部２２において変調されたデータ信号は、２芯ケーブル７を介して給湯装置本体１あるいは浴室リモコン３に伝達される。
【００３１】
表示部２３は、図４に示したように、たとえば多数の蛍光体をドットマトリクス状に配置した蛍光管や液晶ディスプレイ装置などからなり、台所側マイコン２５からの指令により風呂湯の設定温度やバーナの点火状況などを表示する。さらに、計測装置４によって計測された入浴者の心拍数の情報を表示する。そのため、たとえば高齢者や要介護者などが入浴しているときに、入浴者以外の者がその入浴者の状態を入浴者の心拍数などを通じて台所において監視することができる。
【００３２】
操作部２４は、ユーザによって給湯運転や暖房運転などを行うために操作されるものであって、複数のキースイッチからなる。具体的には、運転の発停を行うためのスイッチ２４ａ、湯水の温度の設定などといった各種の設定を行うための設定スイッチ２４ｂ、ユーザの操作により自動で湯張りや保温などを行うための風呂自動スイッチ２４ｃ、およびたとえば台所にいる入浴者以外の者が必要に応じて入浴者と通話するための通話スイッチ２４ｄなどが設けられている。ユーザによって、これらのキースイッチが操作されると、その操作信号が台所側マイコン２５に送られる。なお、図４中、符号２４ｅはスピーカを示す。
【００３３】
一方、浴室リモコン３は、図５に示すように、浴室内の浴槽の近傍などに設置された、防水機能が施されたケースを備えており、台所リモコン２と同様に、給湯装置本体１を遠隔操作するものである。浴室リモコン３は、図２に示すように、制御部３１、通信部３２、表示部３３、および操作部３４を備えている。制御部３１は、マイクロコンピュータ３５（以下、単に「浴室側マイコン３５」という）、およびＲＯＭ３６を備えている。
【００３４】
浴室側マイコン３５は、この浴室リモコン３の制御を司るものであり、ＲＯＭ３６によって記憶されている運転実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示したり、スピーカ３４ｇ（後述）から給湯運転に関する情報を音声にして出力したりする。
【００３５】
また、浴室側マイコン３５は、計測装置４によって計測された入浴者の心拍数の情報を給湯装置本体１から通信部３２を介して受け取ると、表示部３３に表示させる機能を有する。この場合、給湯装置本体１からは心拍数の情報とそれに応じた色情報が送信され、表示部３３にその色情報を付した心拍数を表示させる。
【００３６】
ＲＯＭ３６は、運転実行プログラムや各種のデータを記憶するものである。なお、給湯装置本体１のＲＯＭ１３に色選択テーブル（図３参照）が記憶されていることに代えて、このＲＯＭ３６に色選択テーブルが記憶されていてもよい。この場合、給湯装置本体１からは心拍数の情報が送られるので、浴室リモコン３において送られた心拍数に応じた色が設定される。
【００３７】
通信部３２は、給湯装置本体１や台所リモコン２との通信を行うためのものであり、所定の変復調方式に基づいた変復調回路によって構成されている。給湯装置本体１あるいは台所リモコン２から２芯ケーブル７を介して伝達されたデータ信号は、この通信部３２において復調され、浴室側マイコン３５に送られる。また、通信部３２において変調された信号は、２芯ケーブル７を介して給湯装置本体１あるいは台所リモコン２に伝達される。
【００３８】
表示部３３は、図５に示すように、たとえば多数の蛍光体をドットマトリクス状に配置した蛍光管や液晶ディスプレイ装置などからなり、台所リモコン２の表示部２３と同様に、浴室側マイコン３５からの指令により風呂湯の設定温度やバーナの点火状況などを表示する。さらに、計測装置４によって計測された入浴者の心拍数の情報を表示する。そのため、入浴者は、自己の心拍数を把握することができ、健康を管理するための情報として活用することができる。
【００３９】
操作部３４は、ユーザによって給湯運転を入力するために操作されるものであって、複数のキースイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、および入浴者が必要に応じて台所にいる者と通話するための通話スイッチ３４ｆなどが設けられている。ユーザによって、これらのキースイッチが操作されると、その操作信号が浴室側マイコン３５に送られる。なお、図５中、符号３４ｇはスピーカを示す。
【００４０】
図１および図２を参照して、計測装置４は、入浴者の心拍数を計測するためのものであり、浴室内の浴槽Ｂに設けられている。計測装置４は、制御部４１および通信部４２を備えている。制御部４１は、マイクロコンピュータ４３（以下、単に「計測側マイコン４３」という）、ＥＥＰＲＯＭ４４、Ｉ／Ｏ部４５、および信号処理部４６を備えている。Ｉ／Ｏ部４５には、水位センサ５が接続されている。信号処理部４６には、心拍電極６が接続されている。
【００４１】
計測側マイコン４３は、この計測装置４の制御を司るものであり、図示しないＲＯＭによって記憶されている運転実行プログラムや水位センサ５および心拍電極６からの出力に基づいてデータ処理を実行する。たとえば、計測側マイコン４３は、心拍電極６によって検出された心拍信号に基づいて、入浴者の所定時間（たとえば１分間）当りの心拍数を求める。そして、求めた心拍数を台所マイコン２および浴室マイコン３に給湯装置本体１を介して送信する。
【００４２】
ＥＥＰＲＯＭ４４は、各種のデータを必要に応じて記憶するものである。たとえば、ＥＥＰＲＯＭ４４は、前回の入浴時に計測した心拍数を入浴者別に記憶する。なお、給湯装置本体１のＲＯＭ１３に色選択テーブル（図３参照）が記憶されていることに代えて、このＥＥＰＲＯＭ４４に色選択テーブルが記憶されていてもよい。
【００４３】
信号処理部４６は、心拍電極６によって検出された心拍信号としてのアナログ信号を所定のディジタル信号に変換して計測側マイコン４３に与えるものである。より具体的には、信号処理部４６は、図６に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数以上のノイズを除去するための第２フィルタ回路４６ｃと、この第２フィルタ回路４６ｃによって得られた心拍信号をさらに増幅するための増幅回路４６ｄとを有している。増幅回路４６ｄは、Ｉ／Ｏ部４５に接続されている。
【００４４】
通信部４２は、給湯装置本体１との通信を行うためのものであり、所定の変復調方式に基づいた変復調回路によって構成されている。給湯装置本体１から２芯ケーブル７を介して伝達されたデータ信号は、この通信部４２において復調され、計測側マイコン４３に送られる。また、通信部４２において変調された信号（たとえば計測側マイコン４３によって計測された心拍数のデータ信号）は、２芯ケーブル７を介して給湯装置本体１に伝達される。
【００４５】
また、計測装置４は、給湯装置本体１からこの２芯ケーブル７を介して電源供給（たとえばＤＣ１５Ｖ）がされており、上記したデータ信号は、電源電圧に重畳されて送られる。
【００４６】
水位センサ５は、浴槽Ｂ内に溜められた湯水の水位を検出するものであり、検出された検出信号は、Ｉ／Ｏ部４５を介して計測側マイコン４３に送られる。この水位センサ５は、たとえば浴槽Ｂの水頭圧と大気圧との差圧によって水位を検出するものである。そのため、受圧部の大気側は、ブリーザパイプ５ａ（図１参照）によって浴室外（大気）に開放されている。
【００４７】
心拍電極６は、図１に示したように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、ほぼ同様の高さ位置に配置されている。この心拍電極６によって検出された心拍信号は、計測装置４の信号処理部４６に送られる。
【００４８】
次に、この浴室システムにおける作用を説明する。
【００４９】
上記構成によれば、水位センサ５によって入浴者が浴槽Ｂ内に入ったことが検出される。すなわち、入浴者が浴槽Ｂ内に入ると、急激な水位変化が生じるので、その水位変化を水位センサ５が検出することにより、入浴者が浴槽Ｂ内に入ったことを検出する。次いで、心拍電極６によって入浴者の心拍信号が検出される。心拍電極６によって検出された心拍信号は、信号処理部４６においてアナログ−ディジタル変換されて所定のディジタル信号に変換され、Ｉ／Ｏ部４５を介して計測側マイコン４３に送られる。計測側マイコン４３では、検出された心拍信号に基づいて所定時間（たとえば１分）当りの心拍数を求め、その心拍数の情報を通信部４２および２芯ケーブル７を介して給湯装置本体１に送信する。
【００５０】
給湯装置本体１の本体側マイコン１２は、計測装置４から送られた心拍数の情報に基づいて、ＲＯＭ１３に記憶されている色選択テーブル（図３参照）を参照して、上記心拍数に応じた色を選択する。そして、本体側マイコン１２は、心拍数の情報とそれに応じた色情報とを、通信部１４および２芯ケーブル７を介して台所リモコン２および浴室リモコン３に送信する。
【００５１】
たとえば、浴室リモコン３の浴室側マイコン３５は、心拍数の情報とそれに応じた色情報とを給湯装置本体１から受け取ると、表示部３３においてその心拍数に色情報を付加して表示させる。具体的には、心拍数が６０〜１２０回のときは、その心拍数の値は正常であるとして青色を付して表示し、心拍数が１２１〜１６０回のときは、その心拍数の値は少し注意が必要な値であるとして黄色を付して表示し、心拍数が１６１回以上のときは、その心拍数の値は危険な値であるとして赤色に付して表示する。なお、心拍数が１６１回以上のときは、危険な値であるとして、点滅させて表示させてもよい。
【００５２】
また、台所リモコン２の表示部２２においても、浴室リモコン３と同様な表示を行う。
【００５３】
このように、心拍数に色が付されて表示されるので、入浴者は、自己の心拍数の高低の程度（心拍数が標準の値に対して高すぎるのかまたは低すぎるのかなど）を一目で感覚的に把握することができる。したがって、より利便性の高い浴室システムを提供することができる。また、台所にいる入浴者以外の者は、入浴者の色が付された心拍数の表示によって、心拍数の高低の程度を即座に把握することができる。
【００５４】
なお、上述した設定される色の種類は、一例であり、もちろん、他の色で表示させるようにしてもよい。また、上記では、心拍数の範囲を３段階に分けたが（図３参照）、これ以外の段階数に分けるようにしてもよい。また、各段階における心拍数の範囲も上記値に限るものではない。また、心拍数の色の種類は、たとえば浴室リモコン３の操作部３４における操作により、入浴者が任意の色に設定できるようにしてもよい。また、上記色表示は、心拍数の表示のみに限らず、表示部３３のディスプレイにおける心拍数以外の項目の表示に適用してもよい。あるいは、表示部３３全体が当該色で表示されるようなバックライト光源が用いられてもよい。
【００５５】
また、入浴者は、一人とは限らないため、複数の入浴者に応じた心拍数の範囲を記憶するようにしてもよい。通常の心拍数は、各個人によって異なるため、心拍数の高低の程度も各個人によって異なる場合がある。たとえば、心拍数が１２０回であっても、ある人にとっては高すぎる値であることがあり、また、ある人にとっては低すぎる値であることがある。そこで、上述した色選択テーブルを個人別に複数設けるようにし、各色選択テーブルにおいて、心拍数の範囲を異なるように記憶しておく。このようにすれば、各個人に応じた色表示が可能となり、精度の高い色表示を行うことができる。
【００５６】
また、個人ごとに前回の入浴時に計測した心拍数をたとえば計測装置４のＥＥＰＲＯＭ４４に記憶しておき、今回の入浴時に計測した心拍数との差に基づいて色表示をしてもよい。たとえば、前回の入浴時に計測した心拍数と今回の入浴時に計測した心拍数との差が著しく大きいときには、危険な状態を示す赤色で表示し、差が小さいときには、正常であることを示す緑色で表示する。このようにすれば、個人ごとに、今回の入浴時における心拍数が異常であることを一目で認識することができる。
【００５７】
＜第２実施形態＞
ところで、上記のような心拍数の表示方法では、心拍数の値が直接的に浴室リモコン３の表示部３３に表示されるため、入浴者によっては、その表示に対して緊張感を覚えることがあり、リラックスして入浴できないことがある。そこで、かかる不具合を解消するため、心拍数の表示を心拍数とは異なる表示で模擬的に行うようにしてもよい。
【００５８】
具体的には、浴室リモコン３の制御部３１のＲＯＭ３６には、表示部３３に表示させるための複数種類の描画データが予め格納されている。この描画データは、図７に示すように、たとえばキャラクタの顔部分が表示部３３の表示領域内で移動するといった動画データである。動画データは、キャラクタの移動速度に応じて、複数種類記憶されており、計測装置４において計測された心拍数に応じて選択されるようになっている。また、ＲＯＭ３６には、図８に示すように、動画データを選択するための、心拍数に応じたキャラクタの移動速度の種類が動画データ選択テーブルの形で記憶されている。
【００５９】
浴室側マイコン３５は、計測装置４によって計測された心拍数の情報に基づいて、動画データ速度設定テーブルを参照して、計測された心拍数に応じたキャラクタの移動速度でキャラクタが移動する動画データを選択する機能を有する。たとえば、浴室側マイコン３５は、心拍数が６０〜１２０回のときはキャラクタの移動速度が「遅い」動画データを選択し、心拍数が１２１〜１６０回のときはキャラクタの移動速度が「やや速い」動画データを選択し、心拍数が１６１回以上のときはキャラクタの移動速度が「速い」動画データを選択する。
【００６０】
さらに、浴室側マイコン３５は、ＲＯＭ３６に格納されている複数種類の動画データの中から心拍数の情報に応じたキャラクタの移動速度でキャラクタが移動する動画データを選択する機能を有する。また、浴室側マイコン３５は、選択された動画データを表示部３３の表示領域内で表示させる機能を有する。
【００６１】
また、台所リモコン２の制御部２１のＲＯＭ２６にも、上記と同様な動画データ選択テーブルおよび動画データが格納されており、台所側マイコン２５は、浴室側マイコン３５と同様の選択機能および表示機能を有する。なお、動画データ選択テーブルおよび動画データは、給湯装置本体１のＲＯＭ１３または計測装置４のＥＥＰＲＯＭ４４に記憶されていてもよいが、浴室側マイコン３５のＲＯＭ３６や台所リモコン２のＲＯＭ２６に動画データを記憶しておく方が、表示させる度に２芯ケーブル７を介して上記動画データなどを伝送させる必要がなく、即座に表示させることができるため、浴室側マイコン３５のＲＯＭ３６や台所リモコン２のＲＯＭ２６に記憶しておく方がより望ましい。その他の構成については、上記実施形態と略同様である。
【００６２】
作用を説明すると、入浴者が浴槽Ｂ内に入ると、心拍電極６によって入浴者の心拍信号が検出される。心拍電極６によって検出された心拍信号は、信号処理部４６において所定のディジタル信号に変換された後、Ｉ／Ｏ部４５を介して計測側マイコン４３に送られる。計測側マイコン４３では、検出された心拍信号に基づいて心拍数が求められ、その心拍数の情報を通信部４２および２芯ケーブル７を介して給湯装置本体１に送信する。
【００６３】
給湯装置本体１の本体側マイコン１２は、計測装置４から送られた心拍数の情報を通信部１４および２芯ケーブル７を介して台所リモコン２および浴室リモコン３に送信する。
【００６４】
たとえば、浴室リモコン３の浴室側マイコン３５は、給湯装置本体１から送られた心拍数の情報を受け取ると、ＲＯＭ３６に記憶されている動画データ選択テーブル（図８参照）を参照して、心拍数に応じたキャラクタの移動速度でキャラクタが移動する動画データを読み出し、読み出した動画データを表示部３３に表示する。具体的には、図７に示すように、キャラクタＣは、一定間隔ごとに設けられた停止位置で一旦停止しながら右方向に移動する。この場合、たとえば、心拍数が６０〜１２０回のとき、キャラクタの移動速度が比較的遅く表示され、心拍数が１２１〜１６０回のとき、キャラクタの移動速度がやや速く表示され、心拍数が１６１回以上のとき、キャラクタの移動速度が比較的速く表示される。
【００６５】
このように、キャラクタの移動速度が心拍数の値に応じて変化されて表示されれば、入浴者および台所にいる入浴者以外の者に対して、心拍数の高低の程度を感覚的に認識させることができる。また、心拍数が直接的に表示されることがないので、入浴者が緊張してしまうといったことを抑制することができ、リラックスした気持ちを維持しながら心拍数を擬似的に表したアニメーションによって、自己のおよその心拍数を把握することができる。
【００６６】
なお、キャラクタの図柄は、図７に示したキャラクタの図柄に限らず、種々のものを適用することができる。また、キャラクタは、実際の心拍のタイミングに同期して移動するようにしてもよい。また、キャラクタは、基準位置から右方向に一旦移動し再び基準位置に戻るといった往復運動を行うようにしてもよい。また、キャラクタの色は、心拍数に応じた色（たとえば心拍数が高い場合には赤色）で表示されてもよい。また、ユーザの浴室リモコン３または台所リモコン２による操作によって、キャラクタ表示から実際の心拍数の表示に切り換えることができるようにしてもよい。また、上記では、心拍数の範囲を３段階に分けたが（図８参照）、これ以外の段階数に分けるようにしてもよい。また、各段階における心拍数の範囲も上記値に限るものではない。
【００６７】
＜第３実施形態＞
ところで、上記のように心拍数などを浴室リモコン３の表示部３３に表示させるようにすると、ユーザは、自己の心拍数を確認する際、浴室リモコン３の表示部３３を必ず見る必要があった。このような場合、心拍数を擬似的な音声によって入浴者に知らせるようにすると、入浴者や台所にいる入浴者以外の者が他の作業をしながらでも心拍数を把握することができ便利であり、本第３実施形態では、心拍数を擬似的な音声に変換して出力するようにしている。
【００６８】
具体的には、浴室リモコン３の制御部３１のＲＯＭ３６には、図９に示すように、心拍数に応じた、スピーカ３４ｇから出力するための音声データが音声選択テーブルの形で予め格納されている。より詳細には、ＲＯＭ３６には、たとえば、心拍数がほぼ正常な値である６０〜１２０回のときに選択される、「ピィー」といった休止区間のない連続音の音声データが記憶されている。また、ＲＯＭ３６には、心拍数が少し注意の必要な値である１２１〜１６０回のときに選択される、「ピッ、ピッ、…」といった比較的長い休止区間が設けられた長断続音の音声データが記憶されている。また、ＲＯＭ３６には、心拍数が危険な値である１６１回以上のときに選択される、「ピ、ピ、ピ、…」といった比較的短い休止区間が設けられた短断続音の音声データがそれぞれ記憶されている。
【００６９】
浴室側マイコン３５は、給湯装置本体１から送られる心拍数の値に応じた音声データをＲＯＭ３６から読み出し、スピーカ３４ｇを通じて外部に音声出力させる機能を有する。
【００７０】
なお、台所リモコン２の制御部２１のＲＯＭ２６にも、同様な音声選択テーブルが格納されており、台所側マイコン２５は、上記したような音声出力される浴室側マイコン３５と同様の機能を有する。なお、上記音声選択テーブルおよび音声データは、給湯装置本体１のＲＯＭ１３または計測装置４のＥＥＰＲＯＭ４４に記憶されていてもよい。その他の構成については、上記実施形態と略同様である。
【００７１】
作用を説明すると、入浴者が浴槽Ｂ内に入ると、心拍電極６によって入浴者の心拍が検出される。心拍電極６によって検出された心拍信号は、信号処理部４６において所定のディジタル信号に変換された後、Ｉ／Ｏ部４５を介して計測側マイコン４３に送られる。計測側マイコン４３では、検出された心拍信号に基づいて心拍数を求め、その心拍数の情報を通信部４２および２芯ケーブル７を介して給湯装置本体１に送信する。
【００７２】
給湯装置本体１の本体側マイコン１２は、計測装置４から送られた心拍数の情報を通信部１４および２芯ケーブル７を介して台所リモコン２および浴室リモコン３に送信する。
【００７３】
たとえば、浴室リモコン３の浴室側マイコン３５は、給湯装置本体１から送られた心拍数の情報を受け取ると、この心拍数の値に基づいてＲＯＭ３６に記憶されている音声選択テーブル（図９参照）を参照して、適当な音声データを選択的に読み出す。たとえば、浴室側マイコン３５は、心拍数が６０〜１２０回のとき、連続音の音声データを選択し、心拍数が１２１〜１６０回のとき、長断続音の音声データを選択し、心拍数が１６１回以上のとき、短断続音の音声データをそれぞれ選択して読み出す。
【００７４】
そして、浴室側マイコン３５は、読み出した音声データをスピーカ３４ｇから出力させる。すなわち、心拍数が６０〜１２０回のとき、「ピィー」といった連続音が出力され、心拍数が１２１〜１６０回のとき、「ピッ、ピッ、…」といった長断続音が出力され、心拍数が１６１回以上のとき、「ピ、ピ、ピ、…」といった短断続音がそれぞれ出力される。また、他の音声出力のされ方として、心拍数の所定範囲毎に音声出力されるようにしてもよい。たとえば、心拍数が６０〜１２０回といった低心拍数の範囲内であるとき、「ピィー」といった連続音を定期的に出力させ、心拍数が１３０〜１６０回といった高心拍数の範囲内であるとき、「ピィ、ピィ、ピィ」といった断続音を定期的に出力させる。
【００７５】
このように、スピーカ３４ｇから出力される音声が心拍数の値に応じて変化されて出力されれば、入浴者に心拍数のおよその値を容易に認識させることができる。また、心拍数が表示される場合に比べ、入浴者は、表示部３３をわざわざ見なくても聴覚から感覚的におよその心拍数を把握することができる。
【００７６】
なお、台所リモコン２においても同様にして、スピーカ２４ｅから音声が出力される。これによれば、台所にいる入浴者以外の者に心拍数の高低の程度を即座に認識させることができる。
【００７７】
また、スピーカ３４ｇから出力される音声は、上記したような連続音などの音声に限るものではなく、種々の音声を適用することができる。また、ユーザの浴室リモコン３または台所リモコン２による操作によって、適当な音声に切り換え設定できるようにしてもよい。また、上記では、心拍数の範囲を３段階に分けたが（図９参照）、これ以外の段階数に分けるようにしてもよい。また、各段階における心拍数の範囲も上記値に限るものではない。
【００７８】
また、この発明の範囲は上述した実施の形態に限定されるものではない。たとえば、給湯装置本体１に接続される遠隔操作装置の数は、上記の実施形態に限定されるものではない。また、上記実施形態によれば、計測装置４は、入浴者の心拍数を計測したが、これに加えて、水位センサ５からの出力に基づいて入浴者の体脂肪率を求めるようにしてもよい。また、給湯装置本体１、台所リモコン２、浴室リモコン３、および計測装置４は、それぞれ２芯ケーブル７といった有線を通じて各装置間のデータ信号が送受されたが、これに代えて、無線によってデータ信号が送受されてもよい。
【００７９】
【発明の効果】
本願発明によれば、色データ記憶手段によって記憶された複数種類の色データの中から計測手段によって計測された心拍数に応じた色データを選択し、遠隔操作装置において選択された色データを用いて心拍数を表示させるので、入浴者は、色データが付された心拍数の表示によって、自己の心拍数の高低の程度（心拍数が標準の値に対して高すぎるのかまたは低すぎるのかなど）を一目で感覚的に把握することができる。したがって、より利便性の高い浴室システムを提供することができる。
【００８０】
また、本願発明によれば、描画データ記憶手段によって記憶された複数種類の描画データの中から計測手段によって計測された心拍数に応じた描画データを選択し、遠隔操作装置において選択された描画データを表示させるので、入浴者は、心拍数に応じた描画データ（たとえば心拍数に応じて変化するキャラクタの動画表示データ）が表示されることによって、自己の心拍数の高低の程度（心拍数が標準の値に対して高すぎるのかまたは低すぎるのかなど）を感覚的に把握することができる。また、心拍数の値が直接的に表示されないので、入浴者はリラックスした気持ちで心拍数を確認することができる。
【００８１】
さらに、本願発明によれば、音声データ記憶手段によって記憶された複数種類の音声データの中から計測手段によって計測された心拍数に応じた音声データを選択し、遠隔操作装置において当該選択された音声データを出力させるので、入浴者は、心拍数に応じた音声（たとえば心拍数に応じて周波数や発音周期が変化する音声）が出力されることによって、自己のおよその心拍数（心拍数が標準の値に対して高すぎるのかまたは低すぎるのかなど）を、たとえば遠隔操作装置の表示部を見なくても即座に把握することができる。
【図面の簡単な説明】
【図１】本願発明の第１実施形態にかかる浴室システムを示す概略構成図である。
【図２】図１の浴室システムの電気的構成を示す図である。
【図３】色選択テーブルの一例を示す図である。
【図４】台所リモコンの正面図である。
【図５】浴室リモコンの正面図である。
【図６】信号処理部の内部構成を示す図である。
【図７】動画表示の一例を示す図である。
【図８】動画データ選択テーブルの一例を示す図である。
【図９】音声選択テーブルの一例を示す図である。
【符号の説明】
１    給湯装置本体
２    台所リモコン
３    浴室リモコン
４    計測装置
６    心拍電極
１２    本体側マイコン
１３    ＲＯＭ（本体側マイコンの）
２５    台所側マイコン
２６    ＲＯＭ（台所側マイコンの）
３５    浴室側マイコン
３６    ＲＯＭ（浴室側マイコンの）
４３    計測側マイコン
【図１】
2004267305.tif 000003
【図２】
2004267305.tif 000004
【図３】
2004267305.tif 000005
【図４】
2004267305.tif 000006
【図５】
2004267305.tif 000007
【図６】
2004267305.tif 000008
【図７】
2004267305.tif 000009
【図８】
2004267305.tif 000010
【図９】
2004267305.tif 000011